(57)【特許請求の範囲】
【請求項１】
入力操作を受け付ける入力操作部がチルト機構を介して装置本体に対して揺動可能に設けられた入力装置であって、
前記入力操作部の格納位置に格納される一方、該格納位置からスライドして突出可能とされたスライド装置を備え、
前記スライド装置が前記格納位置から突出しているときには前記チルト機構をロックさせる構成とされていることを特徴とする入力装置。
【請求項２】
請求項１に記載の入力装置であって、
前記スライド装置が前記格納位置から突出しているか否かを検知する検知手段と、前記チルト機構をロックさせるロック装置とを備え、
前記検知手段の検知結果に基づいて前記ロック装置を作動させることを特徴とする入力装置。
【請求項３】
請求項２に記載の入力装置であって、
前記ロック装置は、前記チルト機構における可動部材をロックさせるための係合部と、前記係合部を係止させる係止部と、前記係止部を駆動する駆動部とを備えていることを特徴とする入力装置。
【請求項４】
請求項２又は請求項３に記載の入力装置であって、
前記検知手段は、光を発光する発光部と、前記スライド装置のスライド動作による変位により前記発光部からの光の有無を検知する受光部とを備えたフォトセンサーを含むことを特徴とする入力装置。
【請求項５】
請求項２又は請求項３に記載の入力装置であって、
前記検知手段は、前記スライド装置のスライド動作による押圧力により押圧されている間だけオン状態又はオフ状態が維持される自動復帰型プッシュスイッチを含むことを特徴とする入力装置。
【請求項６】
請求項１に記載の入力装置であって、
前記スライド装置が前記格納位置から突出する突出動作に連動して前記チルト機構をロックさせるロック機構を備えていることを特徴とする入力装置。
【請求項７】
請求項６に記載の入力装置であって、
前記ロック機構は、前記チルト機構における可動部材をロックさせるための係合部と、前記係合部を係止する係止部と、前記スライド装置の前記突出動作に連動して前記係止部を前記係合部に係合させる連動部とを備えていることを特徴とする入力装置。
【請求項８】
請求項７に記載の入力装置であって、
前記連動部は、前記スライド装置のスライド動作により回転し、かつ、該スライド動作による回転に伴って前記係止部を回動させる回転機構を備えていることを特徴とする入力装置。
【請求項９】
請求項６から請求項８までの何れか一つに記載の入力装置であって、
前記スライド装置を前記入力操作部に対してスライド可能に支持するスライド機構を備え、
前記スライド機構と前記ロック機構とで構成部材の一部を兼ねていることを特徴とする入力装置。
【請求項１０】
請求項１から請求項９までの何れか一つに記載の入力装置を備えたことを特徴とする画像形成装置。
【発明の詳細な説明】
【技術分野】
【０００１】
本発明は、プリンタ、複写機、ファクシミリ装置や複合機等の画像形成装置に適用できる入力装置及び画像形成装置に関する。
【背景技術】
【０００２】
従来の画像形成装置として、入力操作を受け付ける入力操作部がチルト機構を介して装置本体に対して揺動可能に設けられた入力装置を備えた画像形成装置が従来から知られている（例えば特許文献１〜３参照）。
【０００３】
また、装置本体の格納位置に格納される一方、該格納位置からスライドして突出可能とされたスライド装置（具体的には装置本体に対してスライド可能な操作パネル）が設けられた入力装置を備えた画像形成装置も従来から知られている（例えば特許文献４参照）。
【先行技術文献】
【特許文献】
【０００４】
【特許文献１】特開２００９−２９０４３２号公報
【特許文献２】特開２００９−２０４６３９号公報
【特許文献３】特開２００９−１３９８８０号公報
【特許文献４】特開平１１−２５８８８４号公報
【発明の概要】
【発明が解決しようとする課題】
【０００５】
このような背景技術に鑑み、入力操作を受け付ける入力操作部がチルト機構を介して装置本体に対して揺動可能に設けられた入力装置において、スライド装置が入力操作部に格納される場合には、次のような不都合がある。
【０００６】
すなわち、かかる入力装置及びそれを備えた画像形成装置においては、スライド装置が格納位置から突出している状態で入力操作部がチルト機構によって揺動すると、スライド装置が装置本体の各部に接触し、スライド装置の破損を招くといった事態を招く。
【０００７】
そこで、本発明は、スライド装置が格納位置から突出しているときにスライド装置の破損を防止することが可能な入力装置及びそれを備えた画像形成装置を提供することを目的とする。
【課題を解決するための手段】
【０００８】
本発明は、前記課題を解決するために、入力操作を受け付ける入力操作部がチルト機構を介して装置本体に対して揺動可能に設けられた入力装置であって、前記入力操作部の格納位置に格納される一方、該格納位置からスライドして突出可能とされたスライド装置を備え、前記スライド装置が前記格納位置から突出しているときには前記チルト機構をロックさせる構成とされていることを特徴とする入力装置を提供する。また、本発明は、前記本発明に係る入力装置を備えたことを特徴とする画像形成装置も提供する。
【０００９】
本発明によれば、前記スライド装置が前記格納位置から突出しているときには前記チルト機構をロックさせる構成とされているので、前記スライド装置が前記格納位置から突出している状態では前記入力操作部が前記チルト機構によって揺動されずに固定された状態となるため、該スライド装置が前記装置本体の各部に接触することがない。これにより、前記スライド装置の破損を防止することが可能となる。
【００１０】
なお、前記スライド装置は、前記入力操作部に格納して使用できる装置であれば、何れの装置でもあってもよい。前記スライド装置としては、例えば、キーボードを備えたキー入力操作装置や、ＩＣカード等の記録媒体を読み取る読み取り装置（具体的にはカードリーダー）を例示できる。
【００１１】
本発明において、前記スライド装置が前記格納位置から突出しているか否かを検知する検知手段と、前記チルト機構をロックさせるロック装置とを備えていることが好ましい。この場合、前記検知手段の検知結果に基づいて前記ロック装置を作動させる態様を例示できる。
【００１２】
この特定事項では、前記検知手段によって前記スライド装置が前記格納位置から突出しているか否かを容易に検知できると共に前記ロック装置によって前記チルト機構を確実にロックすることが可能となる。
【００１３】
本発明において、前記ロック装置は、前記チルト機構における可動部材をロックさせるための係合部と、前記係合部を係止させる係止部と、前記係止部を駆動する駆動部とを備えている態様を例示できる。
【００１４】
この特定事項では、前記係合部と前記係止部と前記駆動部とを備えるといった簡単な構成で前記ロック装置を容易に実現することが可能となる。
【００１５】
前記検知手段としては、次の態様（ａ）及び（ｂ）を例示できる。すなわち、
態様（ａ）は、前記検知手段は、光を発光する発光部と、前記スライド装置のスライド動作による変位により前記発光部からの光の有無を検知する受光部とを備えたフォトセンサーを含む態様である。
【００１６】
この特定事項では、前記発光部と前記受光部とを備えた前記フォトセンサーを用いることで、前記スライド装置が前記格納位置から突出しているか否かを簡単にかつ容易に検知することが可能となる。しかも、前記フォトセンサーとして、一般に汎用されているフォトセンサーを利用することができ、それだけコストを低減させることができる。
【００１７】
態様（ｂ）は、前記検知手段は、前記スライド装置のスライド動作による押圧力により押圧されている間だけオン状態又はオフ状態が維持される自動復帰型プッシュスイッチを含む態様である。
【００１８】
この特定事項では、前記自動復帰型プッシュスイッチを用いることで、前記スライド装置が前記格納位置から突出しているか否かを簡単にかつ容易に検知することが可能となる。しかも、前記自動復帰型プッシュスイッチとして、一般に汎用されているプッシュスイッチを利用することができ、それだけコストを低減させることができる。
【００１９】
本発明において、前記スライド装置が前記格納位置から突出する突出動作に連動して前記チルト機構をロックさせるロック機構を備えていてもよい。
【００２０】
この特定事項では、前記ロック機構によって前記スライド装置が前記格納位置から突出する突出動作に連動して前記チルト機構をロックさせるので、前記スライド装置が前記格納位置から突出しているか否かを検知する検知手段を省くことができ、それだけコストを低減させることが可能となる。
【００２１】
本発明において、前記ロック機構は、前記チルト機構における可動部材をロックさせるための係合部と、前記係合部を係止する係止部と、前記スライド装置の前記突出動作に連動して前記係止部を前記係合部に係合させる連動部とを備えている態様を例示できる。
【００２２】
この特定事項では、前記係合部と前記係止部と前記連動部とを備えるといった簡単な構成で前記ロック機構を容易に実現することが可能となる。
【００２３】
本発明において、前記連動部は、前記スライド装置のスライド動作により回転し、かつ、該スライド動作による回転に伴って前記係止部を回動させる回転機構を備えている態様を例示できる。
【００２４】
この特定事項では、前記回転機構により、前記スライド装置のスライド動作を前記係止部の係合動作（回動動作）に簡単に変換することができ、これにより、前記スライド装置の前記突出動作に連動して前記係止部を前記係合部に係合させる前記連動部を容易に構成することが可能となる。
【００２５】
本発明において、前記スライド装置を前記入力操作部に対してスライド可能に支持するスライド機構を備えていてもよい。この場合、前記スライド機構と前記ロック機構とで構成部材の一部を兼ねている態様を例示できる。
【００２６】
この特定事項では、前記スライド機構と前記ロック機構とで構成部材の一部を兼ねているので、前記スライド機構及び前記ロック機構の双方の機能を維持しつつ、部品点数を削減でき、これにより、装置構成の簡略化、装置のコンパクト化、装置コストの低減を実現することができる。
【発明の効果】
【００２７】
以上説明したように、本発明によると、前記スライド装置が前記格納位置から突出しているときには前記チルト機構をロックさせる構成とされているので、前記スライド装置が前記格納位置から突出している状態では前記入力操作部が前記チルト機構によって揺動されずに固定された状態となるため、該スライド装置が前記装置本体の各部に接触することがなく、これにより、該スライド装置の破損を防止することが可能となる。
【図面の簡単な説明】
【００２８】
【図１】本発明の実施の形態に係る入力装置として画像読取装置を備えた画像形成装置の外観を示す概略斜視図である。
【図２】図１に示す画像形成装置の外観を示す概略図であって、（ａ）は、画像形成装置の左側面図であり、（ｂ）は、画像形成装置の正面図である。
【図３】図１に示す画像形成装置における画像読取装置を示す側面図であって、（ａ）は、入力操作部が第１操作位置にある状態を示す図であり、（ｂ）は、入力操作部が収納位置にある状態を示す図であり、（ｃ）は、入力操作部が第１操作位置と収納位置との間の第２操作位置にある状態を示す図である。
【図４】画像読取装置における入力操作部の表示部を説明するための説明図であって、（ａ）は、該入力操作部における表示部の部分を示す斜視図であり、（ｂ）は、該表示部における表示画面を示す正面図である。
【図５】図１に示す画像読取装置におけるスライド装置を示す概略断面図であって、（ａ）は、スライド装置が格納位置に格納されている状態を示す図であり、（ｂ）は、スライド装置が格納位置から突出して突出位置に位置している状態を示す図である。
【図６】画像読取装置におけるスライド装置を説明するための説明図であって、（ａ）は、画像読取装置の入力操作部からスライド装置が突出位置に位置している状態を示す斜視図であり、（ｂ）は、スライド装置におけるキーボードを示す正面図である。
【図７】スライド装置が入力操作部に対して段階的にスライド移動するスライド機構を説明するための概略側面図である。
【図８】入力操作部、チルト機構及びスライド装置を備えた画像読取装置においてチルト機構のロック構成がない場合での不都合を説明するための左側面図であって、（ａ）は、スライド装置が格納位置から突出している状態で入力操作部が揺動している状態を示す図であり、（ｂ）は、格納位置から突出したスライド装置が装置本体に接触している状態を示す図である。
【図９】入力操作部及びスライド装置に設けられた検知手段の一例である検知部を上から視た概略正面図であって、（ａ）は、スライド装置が格納位置に格納されている状態を示す図であり、（ｂ）は、スライド装置が格納位置から突出している状態を示す図である。
【図１０】図９に示す検知部が設けられた入力操作部及びスライド装置を示す概略断面図であって、（ａ）は、スライド装置が格納位置に格納されている状態を示す図であり、（ｂ）は、スライド装置が格納位置から突出している状態を示す図である。
【図１１】入力操作部に設けられたロック装置を説明するための概略側面図である。
【図１２】図１に示す画像読取装置における制御系の一例を示すシステムブロック図である。
【図１３】入力操作部及びスライド装置に設けられた検知手段の他の例である検知部を上から視た概略正面図であって、（ａ）は、スライド装置が格納位置に格納されている状態を示す図であり、（ｂ）は、スライド装置が格納位置から突出している状態を示す図である。
【図１４】図１に示す画像読取装置における制御系の他の例を示すシステムブロック図である。
【図１５】第１実施形態又は第２実施形態に係る画像読取装置の制御部による動作制御の一例を示すフローチャートである。
【図１６】入力操作部及びスライド装置に設けられたロック機構を説明するための概略側面図であって、スライド装置が格納位置に格納されてロック機構によりチルト機構のロック状態が解除されている状態を示す図である。
【図１７】入力操作部及びスライド装置に設けられたロック機構を説明するための概略側面図であって、スライド装置が格納位置から突出してロック機構によりチルト機構がロックされている状態を示す図である。
【図１８】回転機構における第２回転部材及びその周辺部分を上から視た概略断面図である。
【発明を実施するための形態】
【００２９】
以下、本発明に係る実施の形態について図面を参照しながら説明する。なお、以下に示す実施の形態は、本発明を具体化した例であって、本発明の技術的範囲を限定する性格のものではない。
【００３０】
［画像形成装置の全体構成について］
図１は、本発明の実施の形態に係る入力装置として画像読取装置２を備えた画像形成装置１の外観を示す概略斜視図である。
【００３１】
図１に示す画像形成装置１は、原稿の画像を読み取る画像読取装置２と、画像読取装置２により読み取られた原稿の画像又は外部から受信した画像を記録用紙等の記録シートに記録形成する画像形成部３と、記録シートを搬送するシート搬送系４と、画像形成装置１全体の動作を制御するための制御部５０（後述する図１２及び図１４参照）とを備えている。
【００３２】
画像形成部３は、電子写真方式の画像形成プロセスによって画像を形成する各種ユニットや各種装置（図示せず）を備えている。また、シート搬送系４は、給紙トレイ４ａ、手差し給紙トレイ４ｂ及び排出トレイ４ｃを備えている。
【００３３】
画像読取装置２は、画像形成部３の上部において画像形成装置１の装置本体１ａに組み込まれている。画像形成部３では、画像読取装置２で読み取られた原稿の画像全体は、画像データとして画像形成装置１の画像形成部３へと送られ、画像形成部３において画像データに基づき形成された画像が記録シートに記録される。
【００３４】
そして、画像読取装置２は、入力操作部６がチルト機構１０（後述する図２及び図３参照）を介して装置本体２ａに対して揺動可能に設けられている。
【００３５】
（チルト機構について）
図２は、図１に示す画像形成装置１の概観を示す概略図である。図２（ａ）は、画像形成装置１の左側面図を示しており、図２（ｂ）は、画像形成装置１の正面図を示している。図３は、図１に示す画像形成装置１における画像読取装置２を示す側面図である。図３（ａ）は、入力操作部６が第１操作位置にある状態を示しており、図３（ｂ）は、入力操作部６が収納位置にある状態を示しており、図３（ｃ）は、入力操作部６が第１操作位置と収納位置との間の第２操作位置にある状態を示している。
【００３６】
図２及び図３に示すように、画像読取装置２は、装置全体の各種設定情報や各機能を動作させるための情報の入力操作を受け付ける入力操作部（具体的には入力操作パネル）６と、入力操作部６を画像読取装置２の装置本体２ａに対して幅方向（副走査方向）Ｙに沿った軸線回りに回動可能に取り付けるチルト機構１０とをさらに備えている。なお、入力操作部６は、画像形成装置１の入力操作部としても作用する。
【００３７】
入力操作部６は、一端部が装置本体２ａの上部の奥行き方向（主走査方向）Ｘにおける手前側端部においてチルト機構１０によって回転可能に支持されている。すなわち、画像読取装置２は、ユーザー等の操作者の入力操作部６への揺動操作によって入力操作部６の上下方向Ｚの傾きを変更できるようになっている。
【００３８】
本実施の形態では、入力操作部６は、図示を省略した保持機構によって傾斜姿勢が段階的に保持されるようになっている。すなわち、画像読取装置２は、操作者の入力操作部６への揺動操作によって入力操作部６が段階的に回動されるようになっている。入力操作部６は、ここでは、装置本体２ａの上面２ｂに対する所定の角度θ（図３参照）の範囲（具体的には１３．５°〜８３．５°）の間で装置本体２ａの上面２ｂに対して、最も小さい角度（具体的には１３．５°）にある第１操作位置（図３（ａ）参照）と、最も大きい角度（具体的には８３．５°）にある収納位置（図３（ｂ）参照）と、これらの間の角度（例えば中央付近の４８．５°）にある第２操作位置（図３（ｃ）参照）との複数段階に傾斜するようになっている。
【００３９】
詳しくは、チルト機構１０は、幅方向Ｙに沿った回転支軸１１と、回転支軸１１を回動自在に支持する軸受け部１２を備えている。
【００４０】
回転支軸１１は、先端端が正面より視て一方側（図２（ｂ）の右側）に向くように基端側が正面より視て他方側（図２（ｂ）の左側）で入力操作部６に片持ち支持されている。軸受け部１２は、画像読取装置２の装置本体２ａの幅方向Ｘにおける両側に設けられた一対の軸受け部１２，１２とされている。そして、チルト機構１０は、入力操作部６側に設けられた回転支軸１１が装置本体２ａ側に設けられた軸受け部１２，１２に回動自在に挿通されるようになっている。
【００４１】
また、回転支軸１１の両端部の軸受け部１２，１２に対応する外周面には、内側へ後退可能な突出部（図示省略）が設けられており、軸受け部１２，１２の内周面には、該突出部を受け入れる複数の受け入れ部（図示省略）が設けられている。これら突出部及び受け入れ部で、入力操作部６の傾斜姿勢を段階的に保持する保持機構（図示省略）を構成している。
【００４２】
入力操作部６は、制御部５０の出力系に接続されて表示情報が表示される表示部６１（図１２及び図１４も参照）を有している。
【００４３】
図４は、画像読取装置２における入力操作部６の表示部６１を説明するための説明図である。図４（ａ）は、入力操作部６における表示部６１の部分を示す斜視図であり、図４（ｂ）は、表示部６１における表示画面６１ａを示す正面図である。
【００４４】
図４に示すように、表示部６１は、入力内容や装置全体の動作状況等の表示情報（図４（ｂ）参照）を表示することが可能な表示画面６１ａを有する表示パネルとされている。表示パネルとしては、代表的には、液晶表示（ＬＣＤ：Liquid Crystal Display）パネルを例示できる。ここでは、表示部６１の表示画面６１ａには、操作者によるタッチ操作を受け付けるタッチパネルが設けられている。このタッチパネルは、入力操作装置６２（図１２及び図１４参照）として作用する。そして、画像読取装置２は、入力操作部６の内部の格納位置に格納される一方、該格納位置からスライドして突出可能とされたスライド装置（ここではキー入力操作装置）２０をさらに備えている。
【００４５】
（スライド装置について）
図５は、図１に示す画像読取装置２におけるスライド装置２０を示す概略断面図である。図５（ａ）は、スライド装置２０が格納位置に格納されている状態を示しており、図５（ｂ）は、スライド装置２０が格納位置から突出して突出位置に位置している状態を示している。図６は、画像読取装置２におけるスライド装置２０を説明するための説明図である。図６（ａ）は、画像読取装置２の入力操作部６からスライド装置２０が突出位置に位置している状態を示す斜視図であり、図６（ｂ）は、スライド装置２０におけるキーボード２１を示す正面図である。
【００４６】
図５及び図６に示すように、スライド装置２０は、操作者によりキー入力操作可能な入力操作装置とされており、キーボード２１（図６（ｂ）参照）を備えている。
【００４７】
画像読取装置２は、スライド装置２０を入力操作部６に対してスライド可能に支持するスライド機構２２を備えている。スライド機構２２は、スライド方向Ｓ及び厚み方向Ｗに直交する幅方向Ｔの両端部に設けられた一対のスライド機構２２，２２とされており、一対の固定スライド部２２ａ，２２ａと、一対の中間スライド部２２ｂ，２２ｂと、一対の支持スライド部２２ｃ，２２ｃとをそれぞれ備えている。なお、図５及び図６において、一対のスライド機構２２，２２のうち、片側のみを示しており、もう片側については図示を省略している。
【００４８】
固定スライド部２２ａ，２２ａは、入力操作部６の内部における幅方向Ｔの両端部６ａ，６ａに固定されて設けられている。中間スライド部２２ｂ，２２ｂは、固定スライド部２２ａ，２２ａに対してスライド方向Ｓに沿って一方側（奥側）Ｓ１と他方側（手前側）Ｓ２との間で摺動自在とされている。支持スライド部２２ｃ，２２ｃは、スライド装置２０における幅方向Ｔの両端部２０ａ，２０ａを支持し、かつ、中間スライド部２２ｂに対してスライド方向Ｓに沿って一方側（奥側）Ｓ１と他方側（手前側）Ｓ２との間で摺動自在とされている。すなわち、画像読取装置２は、操作者のスライド装置２０へのスライド操作によって入力操作部６を突出位置からスライド方向Ｓの一方側（奥側）Ｓ１の格納位置へ格納したり、或いは、格納位置からスライド方向Ｓの他方側（手前側）Ｓ２の突出位置へ引き出したりできるようになっている。
【００４９】
本実施の形態では、スライド装置２０は、操作者によるスライド操作によって入力操作部６に対して段階的にスライド移動されるようになっている。
【００５０】
図７は、スライド装置２０が入力操作部６に対して段階的にスライド移動するスライド機構２２を説明するための概略側面図である。なお、図７は、スライド装置２０が入力操作部６の格納位置に格納されている状態を示している。
【００５１】
図７に示すように、スライド機構２２は、入力操作部６が傾斜しても、スライド装置２０が自重により出て来ないようにスライド装置２０を段階的に保持するストッパー機構２３を備えている。
【００５２】
ストッパー機構２３は、スライド装置２０の幅方向Ｔの両端部２０ａ，２０ａ（図６（ａ）参照）の側面２０ｂにそれぞれ設けられた一対のストッパー機構２３，２３とされている。なお、図５及び図６ではストッパー機構２３，２３は図示を省略している。また、図７において、一対のストッパー機構２３，２３のうち、片側のみを示しており、もう片側については図示を省略している。また、図７において、固定スライド部２２ａ、中間スライド部２２ｂ及び支持スライド部２２ｃは図示を省略している。
【００５３】
ストッパー機構２３は、スライド方向Ｓに沿って凹凸状とされた凹凸面を有するスライド係合部２３１と、スライド係合部２３１を係止させるスライド係止部２３２とを備えている。
【００５４】
スライド係合部２３１は、第１凹部２３１ａと、第２凹部２３１ｂと、ラックギア部２３１ｃと、スライド方向Ｓに長くなっている係合支持部２３１ｄとを有している。
【００５５】
係合支持部２３１ｄは、第１及び第２凹部２３１ａ，２３１ｂ並びにラックギア部２３１ｃを支持している。第１凹部２３１ａは、スライド方向Ｓにおいて係合支持部２３１ｄの一方側（奥側）Ｓ１の端部に設けられている。第２凹部２３１ｂは、スライド方向Ｓにおいて係合支持部２３１ｄの他方側（手前側）Ｓ２の端部に設けられている。ラックギア部２３１ｃは、スライド方向Ｓに沿って並設されている。
【００５６】
スライド係止部２３２は、スライド係合部２３１の凹凸面と摺接する摺接部２３２ａと、摺接部２３２ａをスライド係合部２３１の凹凸面に向けて付勢する付勢部２３２ｂとを備えている。詳しくは、摺接部２３２ａ及び付勢部２３２ｂは、金属部材等の弾力性を有する弾性部材で形成されている。具体的には、摺接部２３２ａ及び付勢部２３２ｂは、一体的に形成されており、板バネで構成されている。すなわち、摺接部２３２ａは、スライド係合部２３１側とは反対側が開いた湾曲状とされている。付勢部２３２ｂは、一端部が摺接部２３２ａの一端部に連結された板状とされており、他端部が入力操作部６に固定されて支持されている。
【００５７】
ここでは、スライド係止部２３２は、スライド方向Ｓの一方側（奥側）Ｓ１の端部と、他方側（手前側）Ｓ２の端部と、スライド方向Ｓの中間部との３箇所に設けられている。また、ラックギア部２３１ｃは、スライド方向Ｓの一方側（奥側）Ｓ１の端まで形成されており、第１及び第２凹部２３１ａ，２３１ｂは、幅方向Ｔにおいてラックギア部２３１ｃの配列位置とは外れた位置（具体的には幅方向Ｔにおいてラックギア部２３１ｃの配列位置よりも内側）に配設されている。
【００５８】
かかる構成を備えることにより、画像読取装置２では、スライド装置２０が操作者によりスライド操作されたときに、ストッパー機構２３，２３において、スライド方向Ｓの両端部に設けられたスライド係止部２３２の摺接部２３２ａが第１及び第２凹部２３１ａ，２３１ｂにそれぞれ係止されることで、スライド装置２０を格納位置で保持することができる。また、画像読取装置２では、スライド方向Ｓの手前側の端部に設けられたスライド係止部２３２の摺接部２３２ａが第１凹部２３１ａに係止されることで、スライド装置２０を突出位置で保持することができる。さらに、画像読取装置２では、スライド方向Ｓの中間部に設けられたスライド係止部２３２の摺接部２３２ａがラックギア部２３１ｃの何れかのギア間で係止されることで、スライド装置２０を格納位置と突出位置との間で保持することができる。
【００５９】
ここでは、第１凹部２３１ａ及び第２凹部２３１ｂは、大きな静止力を生み出すという観点から、スライド方向Ｓにおける長さがラックギア部２３１ｃのギアの間隔よりも広くなっており、高さがラックギア部２３１ｃのギアの高さよりも高くなっている。こうすることで、ストッパー機構２３は、ラックギア部２３１ｃよりも第１凹部２３１ａ及び第２凹部２３１ｂでスライド装置２０を確実にかつ安定的に維持することができるようになっている。
【００６０】
このように、入力操作部６、チルト機構１０及びスライド装置２０を備えた画像読取装置２は、後述するように、チルト機構１０をロックさせるロック構成とされていないと、次のような不都合がある。
【００６１】
図８は、入力操作部６、チルト機構１０及びスライド装置２０を備えた画像読取装置２においてチルト機構１０のロック構成がない場合での不都合を説明するための左側面図である。図８（ａ）は、スライド装置２０が格納位置から突出している状態で入力操作部６が揺動している状態を示しており、図８（ｂ）は、格納位置から突出したスライド装置２０が装置本体２ａに接触している状態を示している。
【００６２】
図８に示すように、スライド装置２０が格納位置から突出している状態で入力操作部６がチルト機構１０によって揺動する場合には（図８（ａ）参照）、スライド装置２０が装置本体２ａの構成部材αに接触し（図８（ｂ）参照）、スライド装置２０の破損を招くといった事態を招く。
【００６３】
そこで、本実施の形態の画像読取装置２は、スライド装置２０が格納位置から突出したときにチルト機構１０をロックさせる構成とされている。
【００６４】
次に、スライド装置２０が格納位置から突出したときにチルト機構１０をロックさせる第１から第３実施形態の構成について以下に説明する。
【００６５】
（第１実施形態）
本発明の第１実施形態に係る画像読取装置２は、後述する図９から図１１に示すように、スライド装置２０が格納位置から突出しているか否かを検知する検知部３０（検知手段の一例）と、チルト機構１０をロックさせるロック装置４０とをさらに備えている。
【００６６】
図９は、入力操作部６及びスライド装置２０に設けられた検知手段の一例である検知部３０を上から視た概略正面図である。図１０は、図９に示す検知部３０が設けられた入力操作部６及びスライド装置２０を示す概略断面図である。図９（ａ）及び図１０（ａ）は、スライド装置２０が格納位置に格納されている状態を示している。図９（ｂ）及び図１０（ｂ）は、スライド装置２０が格納位置から突出している状態を示している。また、図１１は、入力操作部６に設けられたロック装置４０を説明するための概略側面図である。
【００６７】
検知部３０は、被検知部３１と、被検知部３１を検知するセンサー部３２とを備えている。入力操作部６及びスライド装置２０のうち、一方（ここではスライド装置２０）には被検知部３１が固定されて設けられており、他方（ここでは入力操作部６）にはセンサー部３２が固定されて設けられている。被検知部３１は、スライド装置２０のスライド方向Ｓにおける一方側（奥側）Ｓ１の端部に設けられた被検知片とされている。
【００６８】
センサー部３２は、ここでは、光を発光する発光部３２ａと、スライド装置２０のスライド動作による変位により発光部３２ａからの光の有無を検知する受光部３２ｂを備えた透過型のフォトセンサーとされている（図９参照）。
【００６９】
詳しくは、センサー部３２は、発光部３２ａから受光部３２ｂに入射される入射光をスライド装置２０のスライド方向Ｓの移動に伴う被検知部３１の移動によって被検知部３１で遮断又は通過させることで、該入射光の有無を受光部３２ｂで検知するようになっている。センサー部３２は、制御部５０の入力系に接続されている（図１２参照）。なお、センサー部３２は、反射型のフォトセンサーであってもよい。
【００７０】
本実施の形態では、図１１に示すように、ロック装置４０は、幅方向Ｔの両端部に設けられた一対のロック装置４０，４０とされている。なお、図１１において、一対のロック装置４０，４０のうち、片側のみを示しており、もう片側については図示を省略している。また、図１１において、スライド機構２２等は図示を省略している。
【００７１】
ロック装置４０は、チルト機構１０における可動部材（ここでは回転支軸１１）をロックさせるための係合部４１と、係合部４１を係止させる係止部４２と、係止部４２を駆動する駆動部（具体的には電磁ソレノイド）４３とを備えている。
【００７２】
詳しくは、係合部４１は、複数の凹部４１ａ，…及び複数の凸部４１ｂ，…からなっている。係合部４１は、画像読取装置２の装置本体２ａ側に設けられた軸受け部１２の外周面の少なくとも入力操作部６の回動範囲に対応する部分（ここでは全周）に設けられている。係止部４２は、先端部（具体的には爪）４２ａが係合部４１の凹部４１ａに対応する形状とされており、幅方向Ｔに沿った回動軸４２ｂを支点として回動自在とされている。係止部４２の先端部４２ａは、凹部４１ａ，…の何れか一つに係入されるようになっている。係止部４２は、回動軸４２ｂと先端部４２ａとの間の部分が駆動部４３の往復移動可能な（本例では上下方向に移動可能な）可動部４３ａ（具体的にはプランジャ）に幅方向Ｔに沿った回動軸４２ｃを支点として回動自在に設けられている。回動軸４２ｂは、入力操作部６に固定されて設けられている。付勢部材４３ｂは、バネ等の弾性部材で構成されており、係止部４２が係合部４１に対して解除される方向（接離方向Ｂにおける離反方向Ｂ１）へ可動部４３ａを付勢するように、駆動部４３と係止部４２との間に介挿（具体的には可動部４３ａに挿通）されている。
【００７３】
駆動部４３は、入力操作部６に固定されて設けられている。駆動部４３は、制御部５０の出力系に接続されており（図１２参照）、制御部５０からの指示信号に基づき、係止部４２の先端部４２ａを係合部４１の凹部４１ａに係入させるロック状態と、係止部４２の先端部４２ａを係合部４１の凹部４１ａから離間させるロック解除状態とを切り替えできるようになっている。具体的には、駆動部４３は、制御部５０から非作動信号（オフ信号）の指示があると、付勢部材４３ｂの付勢力によって係止部４２が接離方向Ｂにおける離反側Ｂ１へ回動する。これにより、ロック装置４０は、係止部４２が係合部４１を係止しないロック解除状態とされる。一方、駆動部４３は、制御部５０から作動信号（オン信号）の指示があると、付勢部材４３ｂの付勢力に抗して係止部４２が接離方向Ｂにおける当接方向Ｂ２へ回動する。これにより、ロック装置４０は、係止部４２が係合部４１を係止するロック状態とされる。
【００７４】
図１２は、図１に示す画像読取装置２における制御系の一例を示すシステムブロック図である。
【００７５】
画像読取装置２は、検知部３０の検知結果に基づいてロック装置４０を作動させる制御部５０をさらに備えている。
【００７６】
制御部５０は、画像読取装置２全体の制御を行うものであり、ＣＰＵ等の処理装置５０ａと、ＲＯＭ（Read Only Memory）、ＲＡＭ（Random Access Memory）及び書き換え可能な不揮発性メモリを含む記憶部５０ｂとを備えている。ＲＯＭは、処理装置５０ａが実行する処理の手順である制御プログラムを格納することができる。ＲＡＭは、作業用のワークエリアを提供することができる。不揮発性メモリは、制御に必要なデータをバックアップして保持したり、各種データを保持したり書き換えたりすることができる。なお、制御部５０は、画像形成装置１に設けられた画像形成動作全体を制御する主制御部（図示せず）にて指示されるようになっている。
【００７７】
制御部５０は、入力系に検知部３０におけるセンサー部３２と、入力操作部６における入力操作装置（ここではタッチパネル）６２と、スライド装置２０のキーボード２１とがそれぞれ電気的に接続されている。また、制御部５０は、出力系に入力操作部６における表示部６１と、チルト機構１０をロックさせるロック装置４０の駆動部４３とがそれぞれ電気的に接続されている。そして、制御部５０は、検知部３０の検知結果に基づいてロック装置４０の駆動部４３を作動させるようになっている。
【００７８】
制御部５０は、センサー部３２における発光部３２ａから受光部３２ｂへ光を照射し（図９及び図１０参照）、スライド装置２０が格納位置にあって被検知部３１が発光部３２ａからの光を遮っている場合、すなわち受光部３２ｂが発光部３２ａからの光を受光していない場合（図９（ａ）及び図１０（ａ）の状態）には、受光部３２ｂからスライド装置２０が格納位置にある（受光していない）ことを示す出力信号（具体的にはオフ信号）が送信される。一方、制御部５０は、スライド装置２０が格納位置から突出して被検知部３１が発光部３２ａからの光を遮っていない場合、すなわち受光部３２ｂが発光部３２ａからの光を受光している場合（図９（ｂ）及び図１０（ｂ）の状態）には、受光部３２ｂからスライド装置２０が格納位置から突出している（受光している）ことを示す出力信号（具体的にはオン信号）が送信される。制御部５０は、受光部３２ｂから受けたスライド装置２０の格納状態を示す出力信号（具体的にはオフ信号又はオン信号）によって、スライド装置２０が格納位置から突出しているか否かを検出するようになっている。
【００７９】
そして、制御部５０は、検知部３０にてスライド装置２０が格納位置にあることを検出したときには、ロック装置４０をロック解除状態に切り替え、検知部３０にてスライド装置２０が格納位置から突出していることを検出したときには、ロック装置４０をロック状態に切り替えるようになっている。
【００８０】
（第２実施形態）
本発明の第２実施形態に係る画像読取装置２は、第１実施形態において、検知部３０に代えて検知部７０（検知手段の他の例）が設けられている。なお、第２実施形態において、第１実施形態と同じ構成には同一符号を付し、その説明を省略する。
【００８１】
図１３は、入力操作部６及びスライド装置２０に設けられた検知手段の他の例である検知部７０を上から視た概略正面図である。図１３（ａ）は、スライド装置２０が格納位置に格納されている状態を示している。図１３（ｂ）は、スライド装置２０が格納位置から突出している状態を示している。
【００８２】
図１３に示すように、検知部７０は、被検知部７１と、被検知部７１を検知するスイッチ部７２とを備えている。入力操作部６及びスライド装置２０のうち、一方（ここではスライド装置２０）には被検知部７１が設けられており、他方（ここでは入力操作部６）にはスイッチ部７２が設けられている。被検知部７１は、スライド装置２０のスライド方向Ｓにおける奥側Ｓ１端部に設けられている。なお、被検知部７１は、スライド装置２０の構成部材（例えばスライド装置２０の側板）と兼ねていてもよい。
【００８３】
スイッチ部７２は、スライド装置２０のスライド動作による押圧力により押圧されている間だけオン状態又はオフ状態が維持される自動復帰型プッシュスイッチとされている。
【００８４】
詳しくは、スイッチ部７２は、可動部７２ａを有し、スライド装置２０が格納位置から突出して押圧力が加わらない状態では、図示しないバネ等の付勢手段によって可動部７２ａが突出した状態となっている。すなわち、スイッチ部７２は、スライド装置２０が格納位置にあって可動部７２ａに押圧力が加わっていると、オン状態となる一方、スライド装置２０が格納位置から突出して可動部７２ａへの押圧力が解除されると、オフ状態となる。なお、スイッチ部７２はオン状態とオフ状態とが逆になるようになっていてもよい。
【００８５】
図１４は、図１に示す画像読取装置２における制御系の他の例を示すシステムブロック図である。なお、図１４において、図１２に示す構成と同じ構成には同一符号を付し、その説明を省略する。
【００８６】
図１４に示すシステムブロック図は、図１２に示すシステムブロック図において、検知部３０に代えて検知部７０を設けたものである。すなわち、制御部５０は、入力系に検知部７０におけるスイッチ部７２が電気的に接続されている。そして、制御部５０は、検知部７０の検知結果に基づいてロック装置４０を作動させるようになっている。
【００８７】
制御部５０は、スライド装置２０が格納位置にあって可動部７２ａに押圧力が加わっている場合（図１３（ａ）状態）には、スイッチ部７２からスライド装置２０が格納位置にあることを示す出力信号（具体的にはオン信号）が送信される。一方、制御部５０は、スライド装置２０が格納位置から突出して可動部７２ａへの押圧力が解除されている場合（図１３（ｂ）状態）には、スイッチ部７２からスライド装置２０が格納位置から突出していることを示す出力信号（具体的にはオフ信号）が送信される。制御部５０は、スイッチ部７２から受けたスライド装置２０の格納状態を示す出力信号（具体的にはオン信号又はオフ信号）によって、スライド装置２０が格納位置から突出しているか否かを検出するようになっている。
【００８８】
そして、制御部５０は、検知部７０にてスライド装置２０が格納位置にあることを検出したときには、ロック装置４０をロック解除状態に切り替え、検知部７０にてスライド装置２０が格納位置から突出していることを検出したときには、ロック装置４０をロック状態に切り替えるようになっている。
【００８９】
［制御部による動作制御の制御例について］
次に、第１実施形態又は第２実施形態に係る画像読取装置２の制御部５０による動作制御の制御例について図１５を参照しながら説明する。
【００９０】
図１５は、第１実施形態又は第２実施形態に係る画像読取装置２の制御部５０による動作制御の一例を示すフローチャートを示している。
【００９１】
図１５に示す制御例では、先ず、検知部３０，７０にてスライド装置２０の突出状態を検知する（ステップＳ１）。
【００９２】
次に、検知部３０，７０の検知結果に基づきスライド装置２０が突出しているか否かを判断する（ステップＳ２）。スライド装置２０が突出していると判断した場合には（ステップＳ２：Ｙｅｓ）、ロック装置４０をロック状態に切り替えてチルト機構１０をロックする（ステップＳ３）。一方、スライド装置２０が格納位置に位置していると判断した場合には（ステップＳ２：Ｎｏ）、ロック装置４０をロック解除状態に切り替えてチルト機構１０のロック状態を解除する（ステップＳ４）。
【００９３】
次に、ステップＳ５にて処理終了の指示があるまで（ステップＳ５：Ｎｏ）、ステップＳ１〜Ｓ４の処理を繰り返し、処理終了の指示があると（ステップＳ５：Ｙｅｓ）、処理を終了する。
【００９４】
（第３実施形態）
本発明の第３実施形態に係る画像読取装置２は、第１又は第２実施形態において、検知部３０，７０及びロック装置４０に代えてロック機構８０が設けられている。
【００９５】
図１６及び図１７は、入力操作部６及びスライド装置２０に設けられたロック機構８０を説明するための概略側面図である。図１６は、スライド装置２０が格納位置に格納されてロック機構８０によりチルト機構１０のロック状態が解除されている状態を示しており、図１７は、スライド装置２０が格納位置から突出してロック機構８０によりチルト機構１０がロックされている状態を示している。なお、図１６及び図１７に示す第３実施形態の構成において、第１又は第２実施形態と同じ構成には同一符号を付し、その説明を省略する。また、図１８は、回転機構８４における第２回転部材８４２及びその周辺部分を上から視た概略断面図である。
【００９６】
ロック機構８０は、スライド装置２０が格納位置から突出する突出動作に連動してチルト機構１０をロックさせるようになっている。
【００９７】
本実施の形態では、ロック機構８０は、幅方向Ｔの両端部に設けられた一対のロック機構８０，８０とされている。なお、図１６及び図１７において、一対のロック機構８０，８０のうち、片側のみを示しており、もう片側については図示を省略している。また、図１６及び図１７において、スライド機構２２等は図示を省略している。
【００９８】
ロック機構８０は、チルト機構１０における可動部材（ここでは回転支軸１１）をロックさせるための係合部８１と、係合部８１を係止する係止部８２と、スライド装置２０の突出動作に連動して係止部８２を係合部８１に係合させる連動部８３とを備えている。
【００９９】
詳しくは、係合部８１は、複数の凹部８１ａ，…及び複数の凸部８１ｂ，…からなっている。係合部８１は、画像読取装置２の装置本体２ａ側に設けられた軸受け部１２の外周面の少なくとも入力操作部６の回動範囲に対応する部分（ここでは全周）に設けられている。係止部８２は、先端部（具体的には爪）８２ａが係合部８１の凹部８１ａに対応する形状とされており、幅方向Ｔに沿った回動軸８２ｂを支点として回動自在とされた軸受け部８２ｃを有している（図１８参照）。回転軸８２ｂは、入力操作部６に固定されて設けられている。係止部８２の先端部８２ａは、凹部８１ａ，…の何れか一つに係入されるようになっている。
【０１００】
連動部８３は、スライド装置２０が格納位置から突出するときには係止部８２を係合部８１に係合させる一方、スライド装置２０が格納位置に格納されるときには係止部８２の係合部８１への係合を解除させる構成とされている。
【０１０１】
詳しくは、連動部８３は、スライド装置２０のスライド動作により回転し、かつ、該スライド動作による回転に伴って係止部８２を回動させる回転機構８４を備えている。
【０１０２】
回転機構８４は、スライド装置２０のスライド方向Ｓにおける一方向側（奥側）Ｓ１及び他方向側（手前側）Ｓ２のスライド動作に伴い一方向Ａ１及び他方向Ａ２の回転方向Ａに回転する第１回転部材８４１と、一方向Ａ１及び他方向Ａ２の回転方向Ａ（図１６参照）に回転によって係止部８２を係合部８１に対して離反（接離方向Ｂ（図１６参照）における離反側Ｂ１へ回動）及び当接（接離方向Ｂにおける当接側Ｂ２へ回動）させる第２回転部材８４２と、第１回転部材８４１から第２回転部材８４２へ一方向Ａ１及び他方向Ａ２の回転駆動を伝達する駆動伝達機構８４３とを備えている。そして、本実施の形態では、スライド機構２２とロック機構８０とで構成部材の一部を兼ねる構成とされている。
【０１０３】
具体的には、第１回転部材８４１は、入力操作部６のスライド方向Ｓの他方側（手前側Ｓ２）において回転軸８４１ａに回転自在に支持されている。回転軸８４１ａは、入力操作部６に固定されて設けられている。第１回転部材８４１は、外周面にストッパー機構２３におけるスライド係合部２３１のラックギア部２３１ｃと噛合するピニオンギア８４１ｂが設けられている。これにより、第１回転部材８４１は、スライド装置２０のスライド動作に伴い、一方向Ａ１及び他方向Ａ２の回転方向Ａに回転するようになっている。
【０１０４】
ロック機構８０の係止部８２は、先端部８２ａが係合部８１側に向くように軸受け部８２ｃを介して回動軸８２ｂに回転自在に設けられている。
【０１０５】
第２回転部材８４２は、入力操作部６のスライド方向Ｓの一方側（奥側Ｓ１）において滑りクラッチ８４２ａを介して軸受け部８２ｃに設けられている（図１８参照）。ここで、滑りクラッチ８４２ａは、従動側である軸受け部８２ｃ（係止部８２）側が低負荷時には、駆動側である第２回転部材８４２の回転に伴い軸受け部８２ｃを回転させ（係止部８２を回動させ）、従動側である軸受け部８２ｃ（係止部８２）側に所定以上の負荷がかかると、軸受け部８２ｃ（係止部８２）が停止したまま駆動側である第２回転部材８４２の回転を許容する部材である。
【０１０６】
本実施の形態では、回転機構８４は、規制部材８４４をさらに備えている。規制部材８４４は、係止部８２の係合部８１から離間する方向（接離方向Ｂの離反側Ｂ１）への移動を規制するものとされている。規制部材８４４は、入力操作部６に固定されて設けられている。なお、規制部材８４４は、入力操作部６の構成部材（例えば入力操作部６のフレーム）と兼ねていてもよい。
【０１０７】
駆動伝達機構８４３は、第１回転部材８４１に連結される第１伝達部材８４３ａと、第２回転部材８４２に連結される第２伝達部材８４３ｂと、第１伝達部材８４３ａから第２伝達部材８４３ｂへの回転駆動を伝達する第３伝達部材８４３ｃとを備えている。
【０１０８】
具体的には、第１伝達部材８４３ａは、回転プーリー又は回転ギア（ここは回転プーリー）とされており、第１回転部材８４１に固定されて設けられている。ここでは、第１伝達部材８４３ａと第１回転部材８４１とは一体的に形成されている。第２伝達部材８４３ｂは、回転プーリー又は回転ギア（ここは回転プーリー）とされており、第２回転部材８４２に固定されて設けられている（図１８参照）。ここでは、第２伝達部材８４３ｂと第２回転部材８４２とは一体的に形成されている。第３伝達部材８４３ｃは、無端ベルト又は回転ギア（ここでは無端ベルト）とされており、第１伝達部材８４３ａ及び第２伝達部材８４３ｂに巻き掛けられている。なお、駆動伝達機構８４３は、ここでは、プーリー及び無端ベルトで構成されているが、複数のギア列で構成されていてもよい。
【０１０９】
かかる構成を備えることにより、ロック機構８０では、スライド装置２０が操作者によりスライド方向Ｓの一方側（奥側）Ｓ１へスライド操作されて格納位置に格納されるときには（図１６参照）、スライド係合部２３１のラックギア部２３１ｃのスライド方向Ｓにおける一方側Ｓ１への移動により係止部８２の先端部８２ａが係合部８１の凹部８１ａとは離間する方向（一方向Ａ１）に第１回転部材８４１のピニオンギア８４１ｂが回転し、さらに駆動伝達機構８４３を介して一方向Ａ１に第２回転部材８４２が回転して係止部８２が離反方向Ｂ１へ回動する。これにより、ロック機構８０は、係止部８２が係合部８１を係止しないロック解除状態とされる。このとき、操作者によるスライド装置２０のスライド操作が終了する前に、係止部８２が規制部材８４４に当接して停止することがある。しかし、このように係止部８２が停止しても、滑りクラッチ８４２ａにより第２回転部材８４２の一方向Ａ１への回転を許容させることができる。これにより、操作者によるスライド装置２０のスライド方向Ｓの一方側（奥側）Ｓ１へのスライド操作を継続させることが可能となる。
【０１１０】
一方、スライド装置２０が操作者によりスライド方向Ｓの他方側（手前側）Ｓ２へスライド方向Ｓにスライド操作されて格納位置から突出するときには（図１７参照）、スライド係合部２３１のラックギア部２３１ｃのスライド方向Ｓにおける他方側Ｓ２への移動により係止部８２の先端部８２ａが係合部８１の凹部８１ａに向かう方向（他方向Ａ２）に第１回転部材８４１のピニオンギア８４１ｂが回転し、さらに駆動伝達機構８４３を介して他方向Ａ２に第２回転部材８４２が回転して係止部８２が当接方向Ｂ２へ回動する。これにより、ロック機構８０は、係止部８２が係合部８１を係止するロック状態とされる。このとき、操作者によるスライド装置２０のスライド操作が終了する前に、係止部８２が係合部８１に当接して停止することがある。しかし、このように係止部８２が停止しても、滑りクラッチ８４２ａにより第２回転部材８４２の他方向Ａ２への回転を許容させることができる。これにより、操作者によるスライド装置２０のスライド方向Ｓの他方側（手前側）Ｓ２へのスライド操作を継続させることが可能となる。
【０１１１】
（第１から第３実施形態について）
以上説明した第１から第３実施形態によれば、スライド装置２０が格納位置から突出したときにチルト機構１０をロックさせる構成とされているので、スライド装置２０が格納位置から突出している状態では入力操作部６がチルト機構１０によって揺動されずに固定された状態となるため、スライド装置２０が装置本体６ａの構成部材αに接触することがない。これにより、スライド装置２０の破損を防止することが可能となる。
【０１１２】
また、第１及び第２実施形態では、スライド装置２０が格納位置から突出しているか否かを検知する検知部３０，７０と、チルト機構１０をロックさせるロック装置４０とを備えていることで、検知部３０，７０によってスライド装置２０が格納位置から突出しているか否かを容易に検知できると共にロック装置４０によってチルト機構１０を確実にロックすることが可能となる。
【０１１３】
また、第１及び第２実施形態では、チルト機構１０における回転支軸１１をロックさせるための係合部４１と、係合部４１を係止させる係止部４２と、係止部４２を駆動する駆動部４３とを備えるといった簡単な構成でロック装置４０を容易に実現することが可能となる。
【０１１４】
また、第３実施形態では、ロック機構８０によってスライド装置２０が格納位置から突出する突出動作に連動してチルト機構１０をロックさせるので、第１及び第２実施形態に設けたような、スライド装置２０が格納位置から突出しているか否かを検知する検知部３０，７０を省くことができ、それだけコストを低減させることが可能となる。
【０１１５】
また、第３実施形態では、チルト機構１０における回転支軸１１をロックさせるための係合部８１と、係合部８１を係止する係止部８２と、スライド装置２０の突出動作に連動して係止部８２を係合部８１に係合させる連動部８３とを備えるといった簡単な構成でロック機構８０を容易に実現することが可能となる。
【０１１６】
また、第３実施形態では、回転機構８４により、スライド装置２０のスライド動作を係止部８２の係合動作（回動動作）に簡単に変換することができ、これにより、スライド装置２０の突出動作に連動して係止部８２を係合部８１に係合させる連動部８３を容易に構成することが可能となる。
【０１１７】
また、第３実施形態では、スライド機構２２とロック機構８０とで構成部材の一部を兼ねるので、スライド機構２２及びロック機構８０の双方の機能を維持しつつ、部品点数を削減でき、これにより、装置構成の簡略化、装置のコンパクト化、装置コストの低減を実現することができる。
【０１１８】
なお、第１から第３実施形態では、スライド装置２０が突出した時点でチルト機構１０をロックするようにしたが、ある程度突出したスライド装置２０が揺動により障害物に当たり得る位置でチルト機構１０をロックするようにしてもよい。
【０１１９】
また、第１から第３実施形態では、入力装置を画像読取装置として画像形成装置に適用したが、何れの電子機器に適用してもよい。
【０１２０】
また、第１から第３実施形態では、スライド装置２０を、キーボードを備えたキー入力操作装置としたが、ＩＣカード等の記録媒体を読み取る読み取り装置（具体的にはカードリーダー）としてもよい。
【符号の説明】
【０１２１】
１        画像形成装置
２        画像読取装置（入力装置の一例）
２ａ      装置本体
６        入力操作部
１０      チルト機構
２０      スライド装置
２２      スライド機構
２３      ストッパー機構
３０      検知部（検知手段の一例）
３１      被検知部
３２      センサー部（フォトセンサー）
３２ａ    発光部
３２ｂ    受光部
４０      ロック装置
４１      係合部
４２      係止部
４３      駆動部
５０      制御部
７０      検知部（検知手段の他の例）
７１      被検知部
７２      スイッチ部（自動復帰型プッシュスイッチ）
８０      ロック機構
８１      係合部
８２      係止部
８３      連動部
８４      回転機構
８４１    第１回転部材
８４２    第２回転部材
８４２ａ  滑りクラッチ
８４３    駆動伝達機構
８４３ａ  第１伝達部材
８４３ｂ  第２伝達部材
８４３ｃ  第３伝達部材
８４４    規制部材
Ａ        回転方向
Ｂ        接離方向
Ｓ        スライド方向
【図１】
0005591064.tif 000002
【図２】
0005591064.tif 000003
【図３】
0005591064.tif 000004
【図４】
0005591064.tif 000005
【図５】
0005591064.tif 000006
【図６】
0005591064.tif 000007
【図７】
0005591064.tif 000008
【図８】
0005591064.tif 000009
【図９】
0005591064.tif 000010
【図１０】
0005591064.tif 000011
【図１１】
0005591064.tif 000012
【図１２】
0005591064.tif 000013
【図１３】
0005591064.tif 000014
【図１４】
0005591064.tif 000015
【図１５】
0005591064.tif 000016
【図１６】
0005591064.tif 000017
【図１７】
0005591064.tif 000018
【図１８】
0005591064.tif 000019